(57)【特許請求の範囲】
【請求項１】
上部と下部に夫々直列ユニット取付用のボックスに対する取付部材を備えているケースを有し、上記ケースには入力端子と出力端子とを備えさせると共に、上記ケースの前面壁には複数の分岐端子を相互に上下に離間させて備えさせ、上記ケース内には、上記入力端子と出力端子との間に接続した分岐回路と、上記複数の分岐端子の間に接続した分配回路を備えさせているボックス取付型直列ユニットにおいて、上記ケースは、上記複数の分岐端子を相互に上下に離間させて備えさせる為に上下に長くした本体部と、上記本体部の左右においてそれぞれ上方に偏在した位置から左右の側方に夫々張り出させた張出部とから構成し、上記入力端子及び出力端子としては、何れも一方の端部に回路接続部を、他方の端部に接栓装着部を、それらの中間にケース取付部を夫々備えている接栓座を用いると共に、それらの接栓座は、各々の接栓装着部が上記本体部の左右の側方で且つ各張出部の下方に位置し、各々の回路接続部が各張出部内に位置する状態において、各々のケース取付部を各張出部の下壁に取付け、上記ケース内には、上記両接栓座の回路接続部相互間に位置させる為の分岐用基板部と、上記複数の分岐端子においてケース内に位置する各々の回路接続部の間に位置させる為の分配用基板部とを備えている平板状の１枚の回路基板をケースの前面壁とほぼ平行状態に備えさせ、上記分岐回路は上記分岐用基板部に、上記分配回路は上記分配用基板部に夫々備えさせたことを特徴とするボックス取付型直列ユニット。
【発明の詳細な説明】
【０００１】
【産業上の利用分野】
本発明は例えばテレビの共同受信施設において使用する直列ユニットに関し、詳しくは家屋の壁面に埋め込み状に備えたボックスに取付けて使用するボックス取付型直列ユニットに関する。
【０００２】
【従来の技術】
この種の直列ユニットとしては、上部と下部に夫々ボックスにおける上下の止付部に止め付ける為の取付部材を備えたケースを有し、上記ケースの左右の側面には、夫々同軸ケーブルの端部を段剥きしてその外部導体と中心導体とを個別に接続するようにしてある入力端子と出力端子とを備えさせ、上記ケースの前面には二つの分岐端子を相互に上下に離間させて備えさせ、一方上記ケース内には、上記入力端子と出力端子との間に接続する分岐回路と、上記二つの分岐端子の間に接続する分配回路を備えさせたものがある。
【０００３】
上記構成の直列ユニットにあっては、二つの分岐端子に夫々テレビ信号が得られるので、そこに２台の機器を接続して両方を同時使用できる特長がある。しかし上記入力端子及び出力端子に同軸ケーブルを接続して使用する場合、テレビ信号の通る中心導体が露出状態であるため、そこから外部に信号が漏洩したり、外部からノイズ電波がそこに飛び込んだりして上記テレビ信号の質を低下させる問題点があった。又ケース内においては、上記入力端子と出力端子との間のスペースと上記二つの分岐端子の間のスペースとが重合する為、上記入力端子と出力端子との間に接続する分岐回路と、上記二つの分岐端子の間に接続する分配回路とが混雑し合い、その結果、両回路が相互干渉を生じて信号の質を低下させ易い問題点があった。
【０００４】
そこでこのような問題点の解決のために、上記ケースを、前面に上記二つの分岐端子を備えさせるために上下に長く形成した本体部と、その背面において上方に偏在した位置から後方に張り出させた張出部とにより構成し、上記入力端子及び出力端子としては何れも回路接続部と接栓装着部とケース取付部とを備えている接栓座を用いると共に、それらの接栓座は各々の接栓装着部が上記本体部の後方で且つ張出部の下方に位置し、且つ回路接続部が張出部内に位置する状態において各々のケース取付部を上記張出部の下壁に取付けたものがある（例えば実開平５−２８１８８号公報参照）。
【０００５】
上記のような構成のものにあっては、接栓座の使用故に信号の漏洩やノイズ電波の飛び込みを防止できて良質の信号を得るように出来る。又上記分岐回路と上記分配回路とを別の基板に備えさせてそれらの基板を上記張出部と上記本体部とに個別に配置することが出来るので、両回路を別離させてそれらの相互干渉を防止し良質の信号の利用を可能に出来る。
【０００６】
【発明が解決しようとする課題】
しかし上記後者のものにあっては、組立に当り２枚の基板を夫々組み込まねばならぬ為、作業手間がかかる問題点があった。又上記張出部の存在の為にケースの奥行き寸法が大きくなる問題点があった。このことは、例えば建物の建築の場合にあって壁の施工の際に予めボックスが壁面に埋め込み状態に備えておかれ、壁の施工完了後に共同受信施設の設置作業員が直列ユニットの取付のためにそれを携えて上記ボックスが備えられている現場に赴いた際に、上記予め設置されていたボックスが奥行きの小さい浅型のボックスであると、上記持参した直列ユニットの取付が出来ず、深型のボックスへの取り替えのために壁をはつるなどの余分の作業を強いる結果となる問題点があった。
【０００７】
本願発明のテレビ共聴用直列ユニットは上記従来技術の問題点（技術的課題）を解決する為に提供するものである。
第１の目的は、複数の分岐端子に夫々信号を得ることができて複数の機器の利用を可能にできるようにした直列ユニットを提供することである。
第２の目的は、使用状態において、信号の漏洩やノイズ電波の飛び込みが無くて良質の信号の利用が出来るようにした直列ユニットを提供することである。
第３の目的は、分岐回路と分配回路との二つの回路を備えるものであっても、それらを備えさせる為の回路基板は１枚で足りて、組立に当たってその組み付け作業の手間数を少なくできるようにすることである。
第４の目的は、回路基板が１枚であっても、その１枚の回路基板に備えさせる上記の分岐回路と分配回路とを相互に別離させて配置することが出来、その結果、分岐回路と分配回路との電気的な相互干渉が無いように出来て良好な電気的特性を得ることが出来るようにすることである。
第５の目的は、分岐回路と分配回路とを相互に別離させて配置した回路基板をケース内に備えさせるものであっても、そのケースの外形形態としては奥行き寸法を小さくすることができて、深いボックスへの取付は勿論のこと浅いボックスへの取り付けも出来るようにした直列ユニットを提供することである。
他の目的及び利点は図面及びそれに関連した以下の説明により容易に明らかになるであろう。
【０００８】
【課題を解決するための手段】
上記目的を達成する為に、本願発明におけるテレビ共聴用直列ユニットは、上部と下部に夫々直列ユニット取付用のボックスに対する取付部材を備えているケースを有し、上記ケースには入力端子と出力端子とを備えさせると共に、上記ケースの前面壁には複数の分岐端子を相互に上下に離間させて備えさせ、上記ケース内には、上記入力端子と出力端子との間に接続した分岐回路と、上記複数の分岐端子の間に接続した分配回路を備えさせているボックス取付型直列ユニットにおいて、上記ケースは、上記複数の分岐端子を相互に上下に離間させて備えさせる為に上下に長くした本体部と、上記本体部の左右においてそれぞれ上方に偏在した位置から左右の側方に夫々張り出させた張出部とから構成し、上記入力端子及び出力端子としては、何れも一方の端部に回路接続部を、他方の端部に接栓装着部を、それらの中間にケース取付部を夫々備えている接栓座を用いると共に、それらの接栓座は、各々の接栓装着部が上記本体部の左右の側方で且つ各張出部の下方に位置し、各々の回路接続部が各張出部内に位置する状態において、各々のケース取付部を各張出部の下壁に取付け、上記ケース内には、上記両接栓座の回路接続部相互間に位置させる為の分岐用基板部と、上記複数の分岐端子においてケース内に位置する各々の回路接続部の間に位置させる為の分配用基板部とを備えている平板状の１枚の回路基板をケースの前面壁とほぼ平行状態に備えさせ、上記分岐回路は上記分岐用基板部に、上記分配回路は上記分配用基板部に夫々備えさせたものである。
【０００９】
【作用】
接栓座の使用は、伝達すべき信号が外部に漏洩したり、外部からのノイズ電波が上記信号に混入することを防止する。ケースを本体部とその本体部の左右においてそれぞれ上方に偏在した位置から左右の側方に張り出させた張出部とから構成し、その張出部の下壁に上記接栓座から成る入力端子及び出力端子を取付けた構成は、ケース内において、上記入力端子と出力端子における夫々の回路接続部間のスペースと、複数の分岐端子における夫々の回路接続部の中間のスペースとを同一面上に位置させると共に、それらのスペースを相互に偏在した状態とする。このことはケース内に１枚の回路基板を備えさせて、その回路基板に分岐回路と分配回路とを相互に別離させて配置することを可能にする。又上記構成は、ケースの奥行き寸法を小寸法化する。
【００１０】
【実施例】
以下本願の実施例を示す図面について説明する。図１において、ボックス取付型直列ユニットＹは、電気的機能を果たす回路が備えられている本体Ａと該本体Ａをボックスに取付けるための取付枠Ｂとから構成している。先ず本体ＡはケースＡ１を備え、該ケースＡ１に入力端子Ａ２と出力端子Ａ３と複数例えば二つの分岐端子Ａ４を備えさせると共に、ケースＡ１内には図２の（Ｂ）に示す回路基板Ｃを収容している。上記ケースＡ１は上記各端子の取付ベースをなすと共に上記回路基板Ｃを収容保護する為のもので、図２の（Ａ）、（Ｄ）に示すように、背面側が開口部１ａとなっている凹状のボディ１とその開口部１ａを塞ぐための図２の（Ｃ）に示す蓋２とから構成している。上記ボディ１及び蓋２は、上記回路基板Ｃからケース外部への信号の漏洩及びケース外部から上記回路基板Ｃへのノイズ電波の飛び込みを防止する為に導電性の材料で形成しており、例えばボディ１は亜鉛ダイカスト成形で、蓋２は１ｍｍ厚のアルミニウム板で形成している。尚３は開口部１ａの周縁に備えさせた蓋受け用の段部、４は回路基板Ｃの止付部材で、基板Ｃをボディ１内の一定位置で受ける為の受部５と基板Ｃの止め付けを行う為の止付片６とから構成している。該止付部材４は回路基板Ｃをボディ１の前面壁１ｂと平行な状態に保持する為に、図示の如くボディ１の周壁内面１ｃにおいて前面壁１ｂから等距離の位置に多数を備えさせている。
【００１１】
上記ケースＡ１について更に説明する。Ａ１１は上記ケースＡ１における本体部で、分岐端子Ａ４の支持及び分配回路の収容の為の部分であり、図１に示す如く複数例えば本例では二つの分岐端子Ａ４を相互に上下に充分に離間させて配置できるようにする為に図示の如く上下方向に長く形成しており、図２の（Ｄ）に示すようにボディ１の前面壁１ｂに上記分岐端子Ａ４を備えさせている。又該本体部Ａ１１の内部は回路基板Ｃの存置用の空間７となっている。Ａ１２，Ａ１３はケースＡ１における張出部で、夫々入力端子Ａ２及び出力端子Ａ３の取付及び分岐回路の収容の為の部分であり、上記本体部Ａ１１の左８ａ及び右８ｂ（本実施例では背面側から見た状態において左、右という）においてそれぞれ上方に偏在８ｃした位置から左右の側方に張り出させている。上記偏在８ｃは、上記入力端子Ａ２における回路接続部１５と出力端子Ａ３における回路接続部１５との間の分岐回路配置用のスペースＳ１と、二つの分岐端子Ａ４における各々の回路接続部２２の中間の分配回路配置用のスペースＳ２とを相互に偏在させる為のものであって、その偏在の程度は、各々のスペースＳ１，Ｓ２に配置する分岐回路と分配回路との相互の電気的干渉を防止させられる程度に設定する。本例では、図示の如く本体部Ａ１１の上面Ａ１１ａと各張出部Ａ１２，Ａ１３の上面Ａ１２ａ，Ａ１３ａとが一致する位置まで偏在させている。上記張出の寸法Ｌ１は、これらの張出部Ａ１２，Ａ１３における下壁９が入力端子Ａ２及び出力端子Ａ３の取付部となっている為、そこに入力端子Ａ２及び出力端子Ａ３の取付の寸法が確保され、且つそれらの端子Ａ２，Ａ３と本体部Ａ１１の左８ａ及び右８ｂの側面８ａ’，８ｂ’との間に端子に対する接栓の装着を可能にする隙間Ｇ１が出来る大きさに定めている。張出部Ａ１２，Ａ１３の内部は回路基板Ｃの存置用の空間１０となっている。
【００１２】
次に入力端子Ａ２は周知の構造の接栓座をもって構成してあり、図２の（Ｄ）に示す１１は筒状の外部導体、１２は絶縁体、１３は中心導体を夫々示す。上記外部導体１１はボディ１における張出部Ａ１２の下壁９と一体成形しているが、別体成形のものを後付けによって下壁９に取付けても良い。上記入力端子Ａ２における各機能部について更に説明すれば、１４は中間部に備えたケース取付部で、ケースへの取付のための部分であり、本例では上記一体成形によって張出部Ａ１２の下壁９に対する固着の目的を果たしている。１５は一方の端部に備えた回路接続部で、ケースＡ１内の回路との接続のための部分であり、張出部Ａ１２内に位置している。該回路接続部１５は上記外部導体１１における一端１１ａと上記中心導体１３において絶縁体１２から突出する部分１３ａとでもって構成され、上記下壁９に対する上記ケース取付部１４の取付によって、一端１１ａ及び突出部１３ａが張出部Ａ１２内に位置している。前者１１ａはアース部であって、上記下壁９に対するケース取付部１４の固着により直列ユニットＹの全体のアース部であるケースＡ１と導通している。後者１３ａは信号伝達部である。１６は他方の端部に備えた接栓装着部で、接栓の装着を行う為の部分を示し、接栓を螺着させる為のねじ１７を外部導体１１の外周面に刻設している。上記のような接栓座をもって構成された入力端子Ａ２にあっては、高周波信号（例えばＶＨＦやＵＨＦ帯域のテレビ信号）が通る中心導体１３がアース部となる外部導体１１で包囲され、又回路接続部１５における中心導体１３ａはケースＡ１の張出部Ａ１２によって包囲されている為、そこから外部への信号の漏洩や外部のノイズ電波がその中心導体１３に飛び込むことが防止される。次に出力端子Ａ３は上記入力端子Ａ２と同様の構成となっており、機能上入力端子Ａ２と同一又は均等の構成で説明が重複すると考えられる部分には、入力端子Ａ２で用いた符号と同一の符号を付して重複する説明を省略する。
【００１３】
次に分岐端子Ａ４は２台の受信機器例えばテレビ受像機とビデオテープレコーダの接続の為に図１の（Ｂ）のように二つを備え、それらをケースＡ１における本体部Ａ１１の前面壁１ｂに上下に充分に離間させて備えさせている。ここでの充分な離間距離は、屋内配線器具においてフラッシュプレートと称される化粧プレートにおける端子露出用の窓孔の上下方向寸法に対応させて決定している。上記分岐端子Ａ４は被せ付け型の接栓の装着が出来るようにした接栓座をもって構成しており、図２の（Ｄ）に示す１８は外部導体、１９は絶縁体、２０は中心導体を夫々示す。又機能面においては、２１がケース取付部、２２が回路接続部、２３が接栓装着部を夫々示す。これらの各部材及び部分は、接栓装着部２３が被せ付け型の接栓の装着のために外部導体１８の外周面をねじ溝のない直円筒状に構成している点を除き上記入力端子Ａ２における各部材及び部分と同様の構成であって説明が重複するのでその重複する説明を省略する。尚上記のような分岐端子Ａ４は、図示の二つの他にそれらの中間にもう一つを配置して合計三つにしても良い。
【００１４】
次に取付枠Ｂは上記本体Ａを止付る為の基板部Ｂ１とその上下において基板部Ｂ１と一体に構成した取付部材Ｂ２，Ｂ３と、基板部Ｂ１の前面に取付けた化粧枠Ｂ４とから構成している。上記基板部Ｂ１における２４は取付枠Ｂと本体Ａとの結合のための結合部材を示す。取付部材Ｂ２，Ｂ３は家屋に対する該直列ユニットＹの取付を行うための部材で、各種の取付部に対する取付が出来るよう種々の形状及び大きさの取付用の透孔２５ａ〜２５ｃを穿設してある。尚２５ｄは他の形式の取付枠への止付の為の止付部材を示す。化粧枠Ｂ４は前記した化粧プレートの窓孔に丁度納まる形状に形成している。
【００１５】
次に図２の（Ｂ）に示される回路基板Ｃについて説明する。該回路基板Ｃとしては例えば平板状の１枚の印刷配線基板（プリント基板と称される）を用いてあり、その外形形状は、上記両存置用空間７，１０に跨って収納される形状に形成している。２６は該回路基板Ｃの周縁部に多数備えさせた欠如部で、前記止付部材４における止付片６を嵌入させる為の部分である。２７は入力端子Ａ２の回路接続部１５における中心導体１３との接続のための接続部、２８は出力端子Ａ３に対する同様の接続部、２９，２９は分岐端子Ａ４に対する同様の接続部を夫々示し、各中心導体を嵌入させる為の欠如部２７ａ，２８ａ及び透孔２９ａとその周囲の一部又はそれを取り囲むように備えさせた半田付け用のランド２７ｂ，２８ｂ，２９ｂとから構成している。Ｃ１は上記回路基板Ｃの内の上記接続部２７，２８の間の分岐用基板部、Ｃ２は同じく二つの接続部２９，２９間の分配用基板部を夫々示す。尚これらはその一部３０において重複している。３１は上記分岐用基板部Ｃ１に備えさせた周知の分岐回路で、接続部２９との機械的な干渉の防止の為に図示の如くやや側方に偏在させている。３１ａは分岐回路３１の入力端で、上記接続部２７のランド２７ｂに接続しており、３１ｂは出力端で、上記接続部２８のランド２８ｂに接続している。３１ｃは分岐端である。３２は上記分配用基板部Ｃ２に備えさせた周知の分配回路で、上下の分岐端子Ａ４，Ａ４に対する信号の分配を均等化させる為に、上記基板Ｃ２において上下の接続部２９，２９のほぼ中間位置に設けている。３２ａは分配回路３２の入力端で上記分岐端３１ｃに接続し、３２ｂ，３２ｂは分配端で、上記各接続部２９におけるランド２９ｂに夫々接続している。
【００１６】
次に上記直列ユニットＹのメーカーにおける組立は次の通りである。図２の（Ａ）の状態のボディ１内にその開口部１ａから同図（Ｂ）の回路基板Ｃを収納する。この場合、基板Ｃは多数の止付部材４における受部５の上に乗ってボディ１の前面壁１ｂと平行な状態となり、又、基板Ｃの欠如部２６には止付片６が位置し、欠如部２７ａ，２８ａ及び透孔２９ａには夫々端子Ａ２，Ａ３，Ａ４の中心導体１３，２０が位置する。又この状態では入力端子Ａ２の回路接続部１５と出力端子Ａ３の回路接続部１５との間に分岐用基板部Ｃ１が位置し、両分岐端子Ａ４，Ａ４の回路接続部２２，２２相互間に分配用基板部Ｃ２が位置する。その結果前記スペースＳ１に分岐回路３１が位置し、スペースＳ２に分配回路３２が位置する。上記の状態で止付片６でもって該基板Ｃをボディ１に固定する。次に上記各ランド２７ｂ，２８ｂ，２９ｂと各端子Ａ２、Ａ３、Ａ４の各中心導体１３，２０とを接続例えば周知の如く半田付けする。次に蓋２を開口部１ａの段部３に向けて圧入すると（接着剤を併用しても良い）本体Ａが出来上がる。然る後、本体Ａと取付枠Ｂとを結合部材２４でもって結合すると直列ユニットＹが完成する。該結合状態では、取付部材Ｂ２，Ｂ３がケースＡ１の上下に備えられた状態となる。
【００１７】
上記直列ユニットを建物の壁面に予め設置されているボックス例えばスイッチボックス３５に取付ける手順を図３、図４に基づき説明する。先ず上記ボックス３５内にその透孔３６を通して予め引き込まれている入力側の同軸ケーブル４０と出力側の同軸ケーブル４１（本例では何れも上側の透孔３６からの引き込み状態を示したが、何れも下側の透孔３６から引き込んだり、一方を上側の透孔３６から引き込み他方を下側の透孔３６から引き込む場合もある）とを、ボックス３５の前面開口部３５ａから前方に引き出し、各ケーブルの先端に夫々接続用の接栓４２を取付ける。そしてそれらの接栓４２を上記入力端子Ａ２及び出力端子Ａ３に夫々接続する。次に上記引き出した両同軸ケーブル４０，４１を図３の（Ｂ）及び図４に示すように縁回しをさせてボックス３５内に納めながら直列ユニットの本体Ａをボックス３５内に収納させ、上下の取付部材Ｂ２，Ｂ３をボックス３５における上下の止付部３７に例えば止付ねじ３８でもって夫々止付る。この場合直列ユニットＹの本体Ａの奥行き寸法Ｌ２が小さいため、ボックス３５の背壁３５ｂの内面と直列ユニットＹの本体Ａの背面Ａ’（蓋２の背面が該背面Ａ’となっている）との間には大きな奥行き方向の寸法Ｌ３の空間４３が空く。従って上記ケーブル４０，４１の縁回しは該空間４３を利用してゆったりと行うことが出来、ボックス３５内への収容作業を容易に行うことが出来る。最後に化粧プレートを取付けて直列ユニットＹの取付作業が完了する。
【００１８】
使用状態において、ケーブル４０を通して入来する高周波信号（例えばテレビ信号）は入力端子Ａ２から分岐回路３１へ至り、更に出力端子Ａ３からケーブル４１に送出される。分岐回路３１にて分岐されたテレビ信号は分配回路３２で分配され、両分岐端子Ａ４，Ａ４に出力される。
【００１９】
【発明の効果】
以上のように本願発明にあっては、複数の分岐端子Ａ４に夫々信号を得られるので、それらの分岐端子Ａ４に夫々機器を接続してそれらの何れの利用をも可能にできる特長がある。
更に入力端子Ａ２及び出力端子Ａ３として何れも接栓座を使用しているので、使用状態においてはノイズ電波の飛び込みや信号の漏洩は無く、従って良質の信号の利用が出来る効果がある。
しかも本願発明の直列ユニットＹにあっては、ケースＡ１を上下に長い本体部Ａ１１と、その本体部Ａ１１の左８ａ及び右８ｂにおいて夫々上方に偏在８ｃした位置から左右の側方に張り出させた張出部Ａ１２，Ａ１３とにより構成し、上記入力端子Ａ２及び出力端子Ａ３として用いた接栓座は、各々の接栓装着部１６が上記本体部Ａ１１の左右の側方で且つ各張出部Ａ１２，Ａ１３の下方に位置し、各々の回路接続部１５が各張出部Ａ１２，Ａ１３内に位置する状態において、各々のケース取付部１４を各張出部Ａ１２，Ａ１３の下壁９に取付けているので、
ケースＡ１内においては、上記両回路接続部１５，１５間の分岐回路配置用のスペースＳ１と、複数の分岐端子Ａ４，Ａ４におけるケース内の夫々の回路接続部２２，２２の中間の分配回路配置用のスペースＳ２とを同一面に位置させ、且つ相互には上下に偏在した状態に出来る特長がある。
このことは、該直列ユニットＹが分岐回路３１と分配回路３２との二つの回路を備えるものであっても、上記同一面となった両スペースＳ１，Ｓ２に対して１枚の回路基板Ｃを跨って配置して、その１枚の回路基板Ｃに対し各々のスペースＳ１，Ｓ２において上記両回路３１，３２を夫々備えさせることを可能に出来、その結果、直列ユニットＹの組立の際には１枚の回路基板を組み込むだけで良く、組立作業の手間数を少なくできて組立コストを低減化できる効果がある。
しかも上記のように両スペースＳ１，Ｓ２は偏在した状態となるので、回路基板Ｃが１枚であっても、その１枚の回路基板Ｃに対して上記偏在した両スペースＳ１，Ｓ２に配置する上記両回路３１，３２は相互に別離状態に出来、その結果、それら両者間の電気的相互干渉を防止して、使用状態において良好な電気的特性を得られる効果がある。
更に上記のように分岐回路３１と分配回路３２とを別離させて配置した回路基板Ｃを備えるものであっても、上記スペースの偏在が上下方向であるため、該回路基板ＣはケースＡ１の前面壁１ｂとほぼ平行な状態に配置でき、従ってケースＡ１の奥行き寸法Ｌ２を非常に小さくできる特長がある。このことは、深いボックスは勿論のこと浅いボックス３５にも支障無く取り付けることを可能に出来る効果がある。
【図面の簡単な説明】
【図１】（Ａ）は後方側から見た状態を示す斜視図、（Ｂ）は一部破断正面図。
【図２】（Ａ）はケースにおけるボディの背面図、（Ｂ）は回路基板の背面図、（Ｃ）は蓋の背面図、（Ｄ）は（Ａ）における２Ｄ−２Ｄ線切断部端面図。
【図３】（Ａ）は側面図、（Ｂ）はケーブルを接続しボックスに取付けた状態を示す側面図。
【図４】図２の（Ｂ）の状態をボックスを破断して後方側から見た状態を示す図。
【符号の説明】
Ａ１  ケース
Ａ２  入力端子
Ａ３  出力端子
Ａ４  分岐端子
Ａ１１  本体部
Ａ１２，Ａ１３  張出部
Ｃ  回路基板
Ｃ１  分岐用基板部
Ｃ２  分配用基板部
３１  分岐回路
３２  分配回路
【図１】
0003631796.tif 000002
【図２】
0003631796.tif 000003
【図３】
0003631796.tif 000004
【図４】
0003631796.tif 000005